(57)【要約】      （修正有）【課題】テレビ放送の任意の場面やＣＭに関連する情報をＷｅｂページのコンテンツとして準備し、所望する情報を十分に得ることができる情報処理システムを提供する。【解決手段】情報処理システムは、放送局２０，２１と、放送に含まれるコンテンツ情報に基づいて提供コンテンツを獲得する情報受信システム１０と、情報受信システム１０からのコンテンツ情報に応じたコンテンツプロバイダ５０の提供するＷｅｂページのネットワークアドレスを検出して情報受信システム１０に通知するアクセスセンタ４０と、ネットワークアドレスからコンテンツ情報に応じた提供コンテンツをＷｅｂページなどから提供するコンテンツプロバイダ５０と、情報受信システム１０、アクセスセンタ４０およびコンテンツプロバイダ５０を接続するインターネット６０と、を備える。【選択図】  図１
2006285361.tif 000002
【特許請求の範囲】
【請求項１】
放送に含まれるコンテンツ情報に基づいて提供コンテンツを獲得する情報受信システムであって、
放送を受信する放送受信手段と、
前記放送受信手段で受信した放送に含まれるコンテンツ情報を受信コンテンツ情報として記憶する受信コンテンツ情報記憶手段と、
前記放送受信手段で受信した放送に含まれるコンテンツ情報を受信コンテンツ情報として抽出し、前記受信コンテンツ情報記憶手段に記録するコンテンツ情報処理手段と、
前記受信コンテンツ情報記憶手段に記憶されている前記受信コンテンツ情報から任意のコンテンツ情報を選択する入力手段と、
前記入力手段で選択された前記任意のコンテンツ情報を送信すると共に、当該任意のコンテンツ情報に対応するネットワークアドレスを受信し、該ネットワークアドレスにアクセスして提供コンテンツを受信するインターネット処理手段と、
前記インターネット処理手段で受信した前記提供コンテンツを表示する表示手段と、
を備える、ことを特徴とする情報受信システム。
【請求項２】
前記受信コンテンツ情報記憶手段に保持されている前記受信コンテンツ情報から任意に選択されたコンテンツ情報を選択コンテンツ情報として記憶する選択コンテンツ情報記憶手段を備え、
前記コンテンツ情報処理手段は、前記受信コンテンツ情報記憶手段に記憶されている前記受信コンテンツ情報を前記表示手段に表示すると共に、前記入力手段からの選択信号に応じて、選択された受信コンテンツ情報を選択コンテンツ情報として抽出し、前記選択コンテンツ情報記憶手段に記録する、
ことを特徴とする請求項１記載の情報受信システム。
【請求項３】
前記入力手段は、前記受信コンテンツ情報記憶手段に記憶されている前記受信コンテンツ情報または前記選択コンテンツ情報記憶手段に記憶されている前記選択コンテンツ情報から任意のコンテンツ情報を選択する、ことを特徴とする請求項２記載の情報受信システム。
【請求項４】
前記情報受信システムは、インターネット接続機能を備えたテレビ受像機である、ことを特徴とする請求項１から３何れか記載の情報受信システム。
【請求項５】
前記入力手段は、リモートコントローラである、
ことを特徴とする請求項４記載の情報受信システム。
【請求項６】
前記入力手段および前記表示手段は、リモートコントローラである、
ことを特徴とする請求項４記載の情報受信システム。
【請求項７】
前記情報受信システムは、テレビ放送受像機能を備えたＰＣ（Ｐｅｒｓｏｎａｌ  Ｃｏｍｐｕｔｅｒ）である、ことを特徴とする請求項１から３何れか記載の情報受信システム。
【請求項８】
前記情報受信システムは、テレビ受像機およびＰＣで構成され、テレビ受像機およびＰＣの入力手段は、共通のリモートコントローラである、ことを特徴とする請求項１から３何れか記載の情報受信システム。
【請求項９】
テレビ受像機と、インターネット接続機能を備えたＰＣと、前記テレビ受像機と前記ＰＣを通信可能に接続するＬＡＮ（Ｌｏｃａｌ  Ａｒｅａ  Ｎｅｔｗｏｒｋ）と、を備える情報受信システムにおいて、
前記テレビ受像機は、
前記ＬＡＮに接続する通信ＩＦ（Ｉｎｔｅｒ  Ｆａｃｅ）と、
放送を受信する放送受信手段と、
前記放送受信手段で受信した放送に含まれるコンテンツ情報を受信コンテンツ情報として記憶する受信コンテンツ情報記憶手段と、
前記受信コンテンツ情報記憶手段に記憶されている前記受信コンテンツを表示する表示手段と、
前記表示手段に表示された前記受信コンテンツから任意の受信コンテンツを指定することによって、前記受信コンテンツ情報記憶手段に記憶されている前記受信コンテンツ情報から任意のコンテンツ情報を選択する入力手段と、
前記受信コンテンツ情報記憶手段に記憶されている前記受信コンテンツ情報を前記表示手段に表示すると共に、前記入力手段からの選択信号に応じて、選択された受信コンテンツ情報を前記受信コンテンツ情報記憶手段から選択コンテンツ情報として抽出し、前記通信ＩＦから前記ＰＣに前記選択コンテンツ情報を送信するコンテンツ情報処理手段と、
を備え、
前記ＰＣは、
前記ＬＡＮに接続する通信ＩＦ（Ｉｎｔｅｒ  Ｆａｃｅ）と、
前記テレビ受像機から送信されてきた前記選択コンテンツ情報を記憶する選択コンテンツ情報記憶手段と、
前記選択コンテンツ情報記憶手段に記憶されている前記選択コンテンツを表示する表示手段と、
前記テレビ受像機から送信されてきた前記選択コンテンツ情報を前記選択コンテンツ情報記憶手段に記録し、前記選択コンテンツ情報記憶手段に記憶されている前記選択コンテンツ情報を前記表示手段に表示するコンテンツ情報処理手段と、
前記表示手段に表示された前記選択コンテンツから任意の選択コンテンツを指定することによって、前記選択コンテンツ情報記憶手段に記憶されている前記選択コンテンツ情報から任意のコンテンツ情報を選択する入力手段と、
前記入力手段で選択された前記任意のコンテンツ情報を送信すると共に、当該任意のコンテンツ情報に対応するネットワークアドレスを受信し、該ネットワークアドレスにアクセスして提供コンテンツを受信するインターネット処理手段と、
を備え、
前記表示手段は、前記インターネット処理手段で受信した前記提供コンテンツを表示する、
ことを特徴とする情報受信システム。
【請求項１０】
前記テレビ受像機の前記入力手段は、リモートコントローラである、ことを特徴とする請求項９記載の情報受信システム。
【請求項１１】
前記テレビ受像機の前記入力手段および前記表示手段は、リモートコントローラである、ことを特徴とする請求項９記載の情報受信システム。
【請求項１２】
前記ＰＣの前記入力手段は、キーボードおよび／またはマウスである、ことを特徴とする請求項９から１１何れか記載の情報受信システム。
【請求項１３】
テレビ放送を送信する放送局と、前記放送局から送信される前記放送に含まれるコンテンツ情報に基づいて提供コンテンツを獲得する情報受信システムと、前記情報受信システムからのコンテンツ情報に応じたプロバイダのネットワークアドレスを検出して前記情報受信システムに通知するアクセスセンタと、前記ネットワークアドレスから前記コンテンツ情報に応じた提供コンテンツを提供するコンテンツプロバイダと、を備える情報処理システムにおいて、
前記情報受信システムは、前記請求項１から１２何れか記載の情報受信システムであり、
前記アクセスセンタは、
コンテンツ情報と、該コンテンツ情報に対応する提供コンテンツを提供する前記コンテンツプロバイダのネットワークアドレスを対応付けてコンテンツコード変換テーブルとして記憶する記憶手段と、
前記情報受信システムから受信したコンテンツ情報と前記記憶手段に記憶されている前記コンテンツコード変換テーブルに基づいて、前記コンテンツ情報に対応するネットワークアドレスを前記情報受信システムに通知するコンテンツ情報処理手段と、
を備える、
ことを特徴とする情報処理システム。
【請求項１４】
前記アクセスセンタは、
前記情報受信システムとの通信を履歴情報として記憶するアクセスログ記憶手段を、
備え、
前記コンテンツ情報処理手段は、前記情報受信システムに通知した前記ネットワークアドレスと、該ネットワークアドレスの通知先である前記情報受信システムとを関連付けて履歴情報として前記アクセスログ記憶手段に記録する、
ことを特徴とする請求項１３記載の情報受信システム。
【請求項１５】
放送局と、情報受信システムと、アクセスセンタと、コンテンツプロバイダと、を備え、前記情報受信システムは、放送受信手段と、受信コンテンツ情報記憶手段と、選択コンテンツ情報記憶手段と、コンテンツ情報処理手段と、入力手段と、インターネット処理手段と、表示手段と、を有し、前記アクセスセンタは、記憶手段と、コンテンツ情報処理手段と、を有する、情報処理システムにおいて、放送に含まれるコンテンツ情報に基づいて提供コンテンツを獲得する情報処理方法であって、
（Ａ）情報受信システムの放送受信手段において、放送局から送信される放送を受信し、
（Ｂ）情報受信システムのコンテンツ情報処理手段において、前記ステップ（Ａ）で受信した放送に含まれるコンテンツ情報を受信コンテンツ情報として抽出し、受信コンテンツ情報記憶手段に記録し、
（Ｃ）情報受信システムの入力手段において、前記ステップ（Ｂ）で受信コンテンツ情報記憶手段に記憶した前記受信コンテンツ情報から任意のコンテンツ情報を選択し、
（Ｄ）情報受信システムのインターネット処理手段において、前記ステップ（Ｃ）で選択された前記任意のコンテンツ情報をアクセスセンタに送信し、
（Ｅ）アクセスセンタの記憶手段において、コンテンツ情報と、該コンテンツ情報に対応する提供コンテンツを提供する前記コンテンツプロバイダのネットワークアドレスを対応付けてコンテンツコード変換テーブルとして記憶され、
（Ｆ）アクセスセンタのコンテンツ情報処理手段において、前記ステップ（Ｄ）で情報受信システムから送信されたコンテンツ情報と前記ステップ（Ｅ）で記憶されている前記コンテンツコード変換テーブルに基づいて、前記コンテンツ情報に対応するネットワークアドレスを前記情報受信システムに通知し、
（Ｇ）情報受信システムのインターネット処理手段において、前記ステップ（Ｆ）で通知されたネットワークアドレスを受信し、該ネットワークアドレスにアクセスして、コンテンツプロバイダから提供コンテンツを受信し、
（Ｈ）情報受信システムの表示手段において、前記ステップ（Ｇ）で受信した前記提供コンテンツを表示する、
ことを特徴とする情報処理方法。
【請求項１６】
前記情報受信システムは、選択コンテンツ情報記憶手段を備え、
前記ステップ（Ｂ）において、情報受信システムのコンテンツ情報処理手段は、前記ステップ（Ａ）で受信した放送に含まれるコンテンツ情報を受信コンテンツ情報として抽出し、受信コンテンツ情報記憶手段に記録し、且つ前記受信コンテンツ情報記憶手段に記憶されている前記受信コンテンツ情報を前記表示手段に表示すると共に、前記入力手段からの選択信号に応じて、選択された受信コンテンツ情報を選択コンテンツ情報として抽出し、前記選択コンテンツ情報記憶手段に記録し、
（Ｃ）情報受信システムの入力手段において、前記ステップ（Ｂ）で受信コンテンツ情報記憶手段に記憶した前記受信コンテンツ情報または選択コンテンツ情報記憶手段に記憶した前記選択コンテンツ情報から任意のコンテンツ情報を選択する、
ことを特徴とする請求項１５記載の情報処理方法。
【請求項１７】
前記ステップ（Ｅ）において、アクセスセンタの記憶手段に記憶されたコンテンツコード変換テーブルは、コンテンツプロバイダから任意のタイミングで更新される、
ことを特徴とする請求項１５または１６記載の情報処理方法。
【請求項１８】
コンピュータに、放送に含まれるコンテンツ情報に基づいて提供コンテンツを獲得させるためのプログラムであって、
前記請求項１から１２何れかに記載の情報受信システムの機能を、コンピュータに実現させるためのプログラム。
【請求項１９】
コンピュータに、放送に含まれるコンテンツ情報に基づいて提供コンテンツを獲得させるためのプログラムであって、
前記請求項１３または１４記載の情報処理システムの機能を、コンピュータに実現させるためのプログラム。
【請求項２０】
コンピュータに、放送に含まれるコンテンツ情報に基づいて提供コンテンツを獲得させるためのプログラムであって、
前記請求項１５から１７何れかに記載の情報処理方法の処理を、コンピュータに実現させるためのプログラム。
【発明の詳細な説明】
【技術分野】
【０００１】
本発明は、テレビ放送に含まれるコンテンツ情報に基づいて、当該コンテンツ情報に対応する提供コンテンツを獲得する情報受信システム、情報処理システム、情報処理方法およびプログラムに関する。特には、テレビ放送の任意の場面やＣＭに関連する情報をコンテンツとして提供するコンテンツプロバイダのＷｅｂページのネットワークアドレス（ＵＲＬ）と関連付けたコンテンツ情報をテレビ放送に含ませ、任意のコンテンツ情報を選択することによってコンテンツプロバイダのＷｅｂページにアクセスし、所望する情報を得ることができる情報受信システム、情報処理システム、情報処理方法およびプログラムに関する。
【背景技術】
【０００２】
現在、テレビ放送は、地上はアナログ放送からデジタル放送へ移行しつつあり、このデジタル放送には、実際の映像データのほかにテキストなどの情報を同時に含ませることができる。
【０００３】
このようなシステムにおいては、テレビ番組の内容やＣＭに合わせた情報をテキスト情報などとして提供することができる。
【０００４】
特開２００４−１４７３３６公報では、放送で視聴したコンテンツや関連コンテンツを閲覧することができる方法が記載されている。
【特許文献１】特開２００４−１４７３３６公報
【発明の開示】
【発明が解決しようとする課題】
【０００５】
しかしながら、上述したシステムの場合、実際の映像データに付与された情報を閲覧するものであるため、得られる情報の量が限られたものとなる。
【０００６】
従って、本発明の目的は、テレビ放送の任意の場面やＣＭに関連する情報をＷｅｂページのコンテンツとして準備し、提供するコンテンツプロバイダのＷｅｂページのネットワークアドレス（ＵＲＬ）と関連付けたコンテンツ情報をテレビ放送に含ませ、任意のコンテンツ情報を選択することによってコンテンツプロバイダのＷｅｂページにアクセスし、所望する情報を十分に得ることができる情報受信システム、情報処理システム、情報処理方法およびプログラムを提供することである。
【課題を解決するための手段】
【０００７】
上記課題を解決するため、本発明の第１の態様の情報受信システムは、放送に含まれるコンテンツ情報に基づいて提供コンテンツを獲得する情報受信システムであって、放送を受信する放送受信手段と、前記放送受信手段で受信した放送に含まれるコンテンツ情報を受信コンテンツ情報として記憶する受信コンテンツ情報記憶手段と、前記放送受信手段で受信した放送に含まれるコンテンツ情報を受信コンテンツ情報として抽出し、前記受信コンテンツ情報記憶手段に記録するコンテンツ情報処理手段と、前記受信コンテンツ情報記憶手段に記憶されている前記受信コンテンツ情報から任意のコンテンツ情報を選択する入力手段と、前記入力手段で選択された前記任意のコンテンツ情報を送信すると共に、当該任意のコンテンツ情報に対応するネットワークアドレスを受信し、該ネットワークアドレスにアクセスして提供コンテンツを受信するインターネット処理手段と、前記インターネット処理手段で受信した前記提供コンテンツを表示する表示手段と、を備える、ことを特徴とする。
【０００８】
ここで、前記受信コンテンツ情報記憶手段に保持されている前記受信コンテンツ情報から任意に選択されたコンテンツ情報を選択コンテンツ情報として記憶する選択コンテンツ情報記憶手段を備え、前記コンテンツ情報処理手段は、前記受信コンテンツ情報記憶手段に記憶されている前記受信コンテンツ情報を前記表示手段に表示すると共に、前記入力手段からの選択信号に応じて、選択された受信コンテンツ情報を選択コンテンツ情報として抽出し、前記選択コンテンツ情報記憶手段に記録する、ことができる。
【０００９】
また、前記入力手段は、前記受信コンテンツ情報記憶手段に記憶されている前記受信コンテンツ情報または前記選択コンテンツ情報記憶手段に記憶されている前記選択コンテンツ情報から任意のコンテンツ情報を選択する、ことができる。
【００１０】
また、前記情報受信システムは、インターネット接続機能を備えたテレビ受像機である、ようにすることができ、このとき、前記入力手段、もしくは前記入力手段および前記表示手段は、リモートコントローラである、ようにするとよい。また、前記情報受信システムは、テレビ放送受像機能を備えたＰＣ（Ｐｅｒｓｏｎａｌ  Ｃｏｍｐｕｔｅｒ）である、ようにすることもできる。
【００１１】
また、前記情報受信システムは、テレビ受像機およびＰＣで構成され、テレビ受像機およびＰＣの入力手段は、共通のリモートコントローラである、ようにすることもできる。
【００１２】
また、上記課題を解決するため、本発明の第２の態様の情報受信システムは、テレビ受像機と、インターネット接続機能を備えたＰＣと、前記テレビ受像機と前記ＰＣを通信可能に接続するＬＡＮ（Ｌｏｃａｌ  Ａｒｅａ  Ｎｅｔｗｏｒｋ）と、を備える情報受信システムにおいて、前記テレビ受像機は、前記ＬＡＮに接続する通信ＩＦ（Ｉｎｔｅｒ  Ｆａｃｅ）と、放送を受信する放送受信手段と、前記放送受信手段で受信した放送に含まれるコンテンツ情報を受信コンテンツ情報として記憶する受信コンテンツ情報記憶手段と、前記受信コンテンツ情報記憶手段に記憶されている前記受信コンテンツを表示する表示手段と、前記表示手段に表示された前記受信コンテンツから任意の受信コンテンツを指定することによって、前記受信コンテンツ情報記憶手段に記憶されている前記受信コンテンツ情報から任意のコンテンツ情報を選択する入力手段と、前記受信コンテンツ情報記憶手段に記憶されている前記受信コンテンツ情報を前記表示手段に表示すると共に、前記入力手段からの選択信号に応じて、選択された受信コンテンツ情報を前記受信コンテンツ情報記憶手段から選択コンテンツ情報として抽出し、前記通信ＩＦから前記ＰＣに前記選択コンテンツ情報を送信するコンテンツ情報処理手段と、を備え、前記ＰＣは、前記ＬＡＮに接続する通信ＩＦ（Ｉｎｔｅｒ  Ｆａｃｅ）と、前記テレビ受像機から送信されてきた前記選択コンテンツ情報を記憶する選択コンテンツ情報記憶手段と、前記選択コンテンツ情報記憶手段に記憶されている前記選択コンテンツを表示する表示手段と、前記テレビ受像機から送信されてきた前記選択コンテンツ情報を前記選択コンテンツ情報記憶手段に記録し、前記選択コンテンツ情報記憶手段に記憶されている前記選択コンテンツ情報を前記表示手段に表示するコンテンツ情報処理手段と、前記表示手段に表示された前記選択コンテンツから任意の選択コンテンツを指定することによって、前記選択コンテンツ情報記憶手段に記憶されている前記選択コンテンツ情報から任意のコンテンツ情報を選択する入力手段と、前記入力手段で選択された前記任意のコンテンツ情報を送信すると共に、当該任意のコンテンツ情報に対応するネットワークアドレスを受信し、該ネットワークアドレスにアクセスして提供コンテンツを受信するインターネット処理手段と、を備え、前記表示手段は、前記インターネット処理手段で受信した前記提供コンテンツを表示する、ことを特徴とする。
【００１３】
ここで、前記テレビ受像機の前記入力手段は、リモートコントローラである、ことができる。また、前記テレビ受像機の前記入力手段および前記表示手段は、リモートコントローラである、ようにしてもよい。
【００１４】
また、前記ＰＣの前記入力手段は、キーボードおよび／またはマウスである、ことができる。
【００１５】
また、上記課題を解決するため、本発明の情報処理システムは、テレビ放送を送信する放送局と、前記放送局から送信される前記放送に含まれるコンテンツ情報に基づいて提供コンテンツを獲得する情報受信システムと、前記情報受信システムからのコンテンツ情報に応じたプロバイダのネットワークアドレスを検出して前記情報受信システムに通知するアクセスセンタと、前記ネットワークアドレスから前記コンテンツ情報に応じた提供コンテンツを提供するコンテンツプロバイダと、を備える情報処理システムにおいて、前記情報受信システムは、上述した情報受信システムであり、前記アクセスセンタは、コンテンツ情報と、該コンテンツ情報に対応する提供コンテンツを提供する前記コンテンツプロバイダのネットワークアドレスを対応付けてコンテンツコード変換テーブルとして記憶する記憶手段と、前記情報受信システムから受信したコンテンツ情報と前記記憶手段に記憶されている前記コンテンツコード変換テーブルに基づいて、前記コンテンツ情報に対応するネットワークアドレスを前記情報受信システムに通知するコンテンツ情報処理手段と、を備える、ことを特徴とする。
【００１６】
ここで、前記アクセスセンタは、前記情報受信システムとの通信を履歴情報として記憶するアクセスログ記憶手段を、備え、前記コンテンツ情報処理手段は、前記情報受信システムに通知した前記ネットワークアドレスと、該ネットワークアドレスの通知先である前記情報受信システムとを関連付けて履歴情報として前記アクセスログ記憶手段に記録する、ことができる。
【００１７】
また、上記課題を解決するため、本発明の情報処理方法は、放送局と、情報受信システムと、アクセスセンタと、コンテンツプロバイダと、を備え、前記情報受信システムは、放送受信手段と、受信コンテンツ情報記憶手段と、選択コンテンツ情報記憶手段と、コンテンツ情報処理手段と、入力手段と、インターネット処理手段と、表示手段と、を有し、前記アクセスセンタは、記憶手段と、コンテンツ情報処理手段と、を有する、情報処理システムにおいて、放送に含まれるコンテンツ情報に基づいて提供コンテンツを獲得する情報処理方法であって、（Ａ）情報受信システムの放送受信手段において、放送局から送信される放送を受信し、（Ｂ）情報受信システムのコンテンツ情報処理手段において、前記ステップ（Ａ）で受信した放送に含まれるコンテンツ情報を受信コンテンツ情報として抽出し、受信コンテンツ情報記憶手段に記録し、（Ｃ）情報受信システムの入力手段において、前記ステップ（Ｂ）で受信コンテンツ情報記憶手段に記憶した前記受信コンテンツ情報から任意のコンテンツ情報を選択し、（Ｄ）情報受信システムのインターネット処理手段において、前記ステップ（Ｃ）で選択された前記任意のコンテンツ情報をアクセスセンタに送信し、（Ｅ）アクセスセンタの記憶手段において、コンテンツ情報と、該コンテンツ情報に対応する提供コンテンツを提供する前記コンテンツプロバイダのネットワークアドレスを対応付けてコンテンツコード変換テーブルとして記憶され、（Ｆ）アクセスセンタのコンテンツ情報処理手段において、前記ステップ（Ｄ）で情報受信システムから送信されたコンテンツ情報と前記ステップ（Ｅ）で記憶されている前記コンテンツコード変換テーブルに基づいて、前記コンテンツ情報に対応するネットワークアドレスを前記情報受信システムに通知し、（Ｇ）情報受信システムのインターネット処理手段において、前記ステップ（Ｆ）で通知されたネットワークアドレスを受信し、該ネットワークアドレスにアクセスして、コンテンツプロバイダから提供コンテンツを受信し、（Ｈ）情報受信システムの表示手段において、前記ステップ（Ｇ）で受信した前記提供コンテンツを表示する、ことを特徴とする。
【００１８】
ここで、前記情報受信システムは、選択コンテンツ情報記憶手段を備え、前記ステップ（Ｂ）において、情報受信システムのコンテンツ情報処理手段は、前記ステップ（Ａ）で受信した放送に含まれるコンテンツ情報を受信コンテンツ情報として抽出し、受信コンテンツ情報記憶手段に記録し、且つ前記受信コンテンツ情報記憶手段に記憶されている前記受信コンテンツ情報を前記表示手段に表示すると共に、前記入力手段からの選択信号に応じて、選択された受信コンテンツ情報を選択コンテンツ情報として抽出し、前記選択コンテンツ情報記憶手段に記録し、（Ｃ）情報受信システムの入力手段において、前記ステップ（Ｂ）で受信コンテンツ情報記憶手段に記憶した前記受信コンテンツ情報または選択コンテンツ情報記憶手段に記憶した前記選択コンテンツ情報から任意のコンテンツ情報を選択する、ことができる。
【００１９】
また、前記ステップ（Ｅ）において、アクセスセンタの記憶手段に記憶されたコンテンツコード変換テーブルは、コンテンツプロバイダから任意のタイミングで更新される、ようにしてもよい。
【００２０】
また、上記課題を解決するため、本発明の第１の態様のプログラムは、コンピュータに、放送に含まれるコンテンツ情報に基づいて提供コンテンツを獲得させるためのプログラムであって、上述何れかに記載の情報受信システムの機能を、コンピュータに実現させることを特徴とする。
【００２１】
また、上記課題を解決するため、本発明の第２の態様のプログラムは、コンピュータに、放送に含まれるコンテンツ情報に基づいて提供コンテンツを獲得させるためのプログラムであって、上述の情報処理システムの機能を、コンピュータに実現させることを特徴とする。
【００２２】
また、上記課題を解決するため、本発明の第３の態様のプログラムは、コンピュータに、放送に含まれるコンテンツ情報に基づいて提供コンテンツを獲得させるためのプログラムであって、上述の何れかに記載の情報処理方法の処理を、コンピュータに実現させることを特徴とする。
【発明の効果】
【００２３】
本発明の情報受信システム、情報処理システム、情報処理方法およびプログラムによれば、テレビ放送の任意の場面やＣＭに関連する情報をＷｅｂページのコンテンツとして準備し、提供するコンテンツプロバイダのＷｅｂページのネットワークアドレス（ＵＲＬ）と関連付けたコンテンツ情報をテレビ放送に含ませ、任意のコンテンツ情報を選択することによってコンテンツプロバイダのＷｅｂページにアクセスし、所望する情報を十分に得ることができる。
【発明を実施するための最良の形態】
【００２４】
以下、図面を参照して本発明の情報受信システム、情報処理システム、情報処理方法およびプログラムの実施の形態を説明する。
【００２５】
図１は、本発明の情報受信システムを含む情報処理システムの一例を示す図である。この情報処理システムは、テレビ放送を送信するＡ放送局２０、ケーブル３０のＢ放送局２１と、放送局２０，２１から送信される放送に含まれるコンテンツ情報に基づいて提供コンテンツを獲得する情報受信システム１０と、情報受信システム１０からのコンテンツ情報に応じたコンテンツプロバイダ５０の提供するＷｅｂページのネットワークアドレスを検出して情報受信システム１０に通知するアクセスセンタ４０と、ネットワークアドレスからコンテンツ情報に応じた提供コンテンツをＷｅｂページなどから提供するコンテンツプロバイダ５０と、情報受信システム１０、アクセスセンタ４０およびコンテンツプロバイダ５０を接続するインターネット６０と、を備える。
【００２６】
ここで、情報受信システム１０は、放送を受信する放送受信部１１と、放送受信部１１で受信した放送に含まれるコンテンツ情報を受信コンテンツ情報として記憶する受信コンテンツ情報ＤＢ（Ｄａｔａ  Ｂａｓｅ）１３と、放送受信部１１で受信した放送に含まれるコンテンツ情報を受信コンテンツ情報として抽出し、受信コンテンツ情報ＤＢ１３に記録するコンテンツ情報処理部１２と、受信コンテンツ情報ＤＢ１３に記憶されている受信コンテンツ情報から任意に選択されたコンテンツ情報を選択コンテンツ情報として記憶する選択コンテンツ情報ＤＢ１４と、受信コンテンツ情報ＤＢ１３に記憶されている受信コンテンツ情報または選択コンテンツ情報ＤＢ１４に記憶されている選択コンテンツ情報から任意のコンテンツ情報を選択する入力部１７と、入力部１７で選択された任意のコンテンツ情報を送信すると共に、当該任意のコンテンツ情報に対応するネットワークアドレスを受信し、該ネットワークアドレスにアクセスして提供コンテンツを受信するインターネット処理部１８と、インターネット処理部１８で受信した提供コンテンツを表示する表示部１６と、表示部１６および入力部１７を制御する入出力制御部１５と、を備える。
【００２７】
ここで、コンテンツ情報処理部１２は、受信コンテンツ情報ＤＢ１３に記憶されている受信コンテンツ情報を表示部１６に表示すると共に、入力部１７からの選択信号に応じて、選択された受信コンテンツ情報を選択コンテンツ情報として抽出し、選択コンテンツ情報ＤＢ１４に記録する。
【００２８】
ここで、情報受信システム１０は、インターネット接続機能を備えたテレビ受像機で構成することができる。このとき、入力部１７は、リモートコントローラにすることができ、もしくは、入力部１７および表示部１６を、リモートコントローラにすることができる。
【００２９】
また、アクセスセンタ４０は、コンテンツ情報と、該コンテンツ情報に対応する提供コンテンツを提供するコンテンツプロバイダのネットワークアドレス（ＵＲＬ）を対応付けてコンテンツコード変換テーブルとして記憶する記憶部（コンテンツコード変換テーブル）４３と、情報受信システムから受信したコンテンツ情報とコンテンツコード変換テーブル４３に基づいて、コンテンツ情報に対応するネットワークアドレスを情報受信システム１０に通知するコンテンツ情報処理部４２と、情報受信システム１０との通信を履歴情報として記憶するアクセスログＤＢ４４と、通信を制御する通信制御部４１と、を備えている。
【００３０】
ここで、コンテンツ情報処理部４２は、情報受信システム１０に通知したネットワークアドレス（ＵＲＬ）と、該ネットワークアドレス（ＵＲＬ）の通知先である情報受信システム１０とを関連付けて履歴情報としてアクセスログＤＢ４４に記録する。
【００３１】
図２は、本発明の情報処理方法の処理を示すフローチャートである。図３から図７は、それぞれの処理におけるコンテンツ情報の内容を示す図である。図１から図７において、先ず、情報受信システム１０の放送受信部１１において、放送局２０，２１から送信される放送を受信する（ステップ２０１）。
【００３２】
次に、情報受信システム１０のコンテンツ情報処理部１２において、ステップ２０１で受信した放送に含まれるコンテンツ情報を受信コンテンツ情報として抽出し、受信コンテンツ情報ＤＢ１３に記録する（ステップ２０２）。図３は、受信コンテンツ情報ＤＢ１３に記録された受信コンテンツ情報を示す。
【００３３】
視聴者は、放送中の番組や録画されている番組を視聴し（ステップ２０３）、受信コンテンツ情報ＤＢ１３に記録されている受信コンテンツ情報（図３）から、興味のある番組やＣＭ、必要な情報を獲得したい番組やＣＭに関連して送信されてきた受信コンテンツ情報を選択する場合には（ステップ２０４）、受信コンテンツ情報ＤＢ１３に記録されている受信コンテンツ情報（図３）をテレビ画面やリモコン装置（入力部１７）の表示部１６に表示し、入力部１７であるリモコン装置からの選択信号（図３のアクション）に応じて、選択された受信コンテンツ情報を受信コンテンツ情報ＤＢ１３から選択コンテンツ情報として抽出し、選択コンテンツ情報ＤＢ１４に記録する（ステップ２０５）。図４は、選択コンテンツ情報ＤＢ１４に記録された選択コンテンツ情報を示す。
【００３４】
コンテンツ情報処理部１２は、受信コンテンツ情報ＤＢ１３に記憶した受信コンテンツ情報（図３）または選択コンテンツ情報ＤＢ１４に記憶した選択コンテンツ情報（図４）を表示部１６に表示し、入力部１７の操作によって、受信コンテンツ情報（図３）または選択コンテンツ情報（図４）から任意のコンテンツ情報を選択する（ステップ２０６）。
【００３５】
次に、情報受信システム１０のインターネット処理部１８において、ステップ２０６で選択された任意のコンテンツ情報に含まれるコンテンツコード（図５）をアクセスセンタ４０に送信する（ステップ２０７）。ここで、コンテンツコードには、コンテンツ情報を放送した日付（西暦ＹＹＹＹ，月ＭＭ，日ＤＤ）、コンテンツ情報を放送した時間（時ＨＨ，分ＭＭ，秒ＳＳ）、番組またはＣＭ提供チャンネル（４桁：ＣｈＣｈＣｈＣｈ）、コンテンツのネットワークアドレスを特定するためのコンテンツアクセスコード（提供ジャンルや提供メーカのコードおよび提供情報コードなどからなる任意の桁の英数字・記号・文字：ＸＸＸ・・・ＸＸＸ）が含まれている。
【００３６】
アクセスセンタ４０では、コンテンツ情報に含まれるコンテンツアクセスコードと、該コンテンツアクセスコードに対応するＷｅｂページを提供するコンテンツプロバイダ５０のネットワークアドレス（ＵＲＬ）を対応付けてコンテンツコード変換テーブル４３（図６）として記憶している。このアクセスセンタ４０に記憶されたコンテンツコード変換テーブル４３は、コンテンツプロバイダ５０から任意のタイミングで更新される。
【００３７】
アクセスセンタ４０のコンテンツ情報処理部４２は、ステップ２０７で情報受信システム１０から送信されたコンテンツ情報を、通信制御部４１を介して受信し、受信したコンテンツ情報のコンテンツアクセスコードとコンテンツコード変換テーブル４３に基づいて、コンテンツ情報に対応するネットワークアドレス（実アドレス：ＵＲＬ）を特定する（ステップ２０８）。
【００３８】
情報受信システム１０から受信したコンテンツ情報は、履歴情報としてアクセスログＤＢ４４に記録される（ステップ２０９）。
【００３９】
ネットワークアドレス（実アドレス：ＵＲＬ）は、情報受信システム１０に通知され（ステップ２１０）、情報受信システム１０のインターネット処理部１８において、通知されたネットワークアドレス（実アドレス：ＵＲＬ）を受信し、該ネットワークアドレス（実アドレス：ＵＲＬ）にアクセス（リンク）して（ステップ２１１）、コンテンツプロバイダ５０のＷｅｂページなどから提供コンテンツを受信し、情報受信システム１０の表示部１６（画面やリモコン装置の表示部）において、受信した提供コンテンツを表示し、その情報を利用する（ステップ２１２）。
【００４０】
上述のステップ２０２およびステップ２０３において、図７に示すように、現在視聴中のチャンネルの受信コンテンツ情報を先読みして予め記録しておき（図７のＣｈ４５６で示す）、途中でチャンネルを替えた場合（図７の場合、Ｃｈ４５６からＣｈ７８９へ変更）、その時点までの受信コンテンツ情報（ニューステーマ１〜国債のＣＭ）を保持して、その後の予め先読みしていた受信コンテンツ情報（ニューステーマ４〜）は破棄するようにしてもよい。
【００４１】
図８は、本発明の情報処理システムの一例を示す図である。図８において、情報受信システム１０は、テレビ受像機１０Ａと、インターネット接続機能を備えたＰＣ（Ｐｅｒｓｏｎａｌ  Ｃｏｍｐｕｔｅｒ）１０Ｂと、テレビ受像機１０ＡとＰＣ１０Ｂを通信可能に接続するＬＡＮ（Ｌｏｃａｌ  Ａｒｅａ  Ｎｅｔｗｏｒｋ）１０Ｃと、を備えている。
【００４２】
この情報受信システム１０において、テレビ受像機１０Ａは、ＬＡＮ１０Ｃに接続する通信ＩＦ（Ｉｎｔｅｒ  Ｆａｃｅ）１９と、放送局２０，ケーブル３０の放送局２１から送信される放送を受信する放送受信部１１と、放送受信部１１で受信した放送に含まれるコンテンツ情報を受信コンテンツ情報として記憶する受信コンテンツ情報ＤＢ１３と、受信コンテンツ情報ＤＢ１３に記憶されている受信コンテンツを表示する表示部１６（テレビ受像機の画面やリモコン装置の表示部など）と、表示部１６に表示された受信コンテンツから任意の受信コンテンツを指定することによって、受信コンテンツ情報ＤＢ１３に記憶されている受信コンテンツ情報から任意のコンテンツ情報を選択する入力部１７（リモコン装置など）と、受信コンテンツ情報ＤＢ１３に記憶されている受信コンテンツ情報を表示部１６に表示すると共に、入力部１７からの選択信号に応じて、選択された受信コンテンツ情報を受信コンテンツ情報ＤＢ１３から選択コンテンツ情報として抽出し、通信ＩＦ１９からＰＣ１０Ｂに選択コンテンツ情報を送信するコンテンツ情報処理部１２と、表示部１６および入力部１７を制御する入出力制御部１５と、を備えている。
【００４３】
また、ＰＣ１０Ｂは、ＬＡＮ１０Ｃに接続する通信ＩＦ（Ｉｎｔｅｒ  Ｆａｃｅ）１９’と、テレビ受像機１０Ａから送信されてきた選択コンテンツ情報を記憶する選択コンテンツ情報ＤＢ１４と、選択コンテンツ情報ＤＢ１４に記憶されている選択コンテンツ情報を表示する表示部１６’と、テレビ受像機１０Ａから送信されてきた選択コンテンツ情報を選択コンテンツ情報ＤＢ１４に記録し、選択コンテンツ情報ＤＢ１４に記憶されている選択コンテンツ情報を表示部１６’に表示するコンテンツ情報処理部１２’と、表示部１６’に表示された選択コンテンツから任意の選択コンテンツを指定することによって、選択コンテンツ情報ＤＢ１４に記憶されている選択コンテンツ情報から任意のコンテンツ情報を選択する入力部１７’（キーボードやマウス、リモコン装置など）と、入力部１７’で選択された任意のコンテンツ情報をアクセスセンタ４０に送信すると共に、当該任意のコンテンツ情報に対応するネットワークアドレスをアクセスセンタ４０から受信し、該ネットワークアドレスにアクセスしてコンテンツプロバイダ５０から提供コンテンツを受信するインターネット処理部１８と、表示部１６’および入力部１７’を制御する入出力制御部１５’と、を備えている。
【００４４】
ここで、表示部１６，１６’の何れにおいてもインターネット処理部１２’で受信した提供コンテンツを表示することができる（表示部１６の場合には、インターネット処理部１２’−＞通信ＩＦ１９’−＞ＬＡＮ１０Ｃ−＞通信ＩＦ１９−＞入出力制御部１５―＞表示部１６と提供コンテンツが送られる）。
【００４５】
図８のシステムにおいては、図２に示したステップ２０１〜２０４の処理は、テレビ受像機１０Ａで行われ、ステップ２０５以降の処理はＰＣ１０Ｂで行われる。なお、ステップ２０４およびステップ２０５は、必須の処理となる。
【００４６】
図９は、本発明の情報処理システムの一例を示す図である。図９において、情報受信システム１０は、テレビ受像機１０Ａ’と、インターネット接続機能を備えたＰＣ１０Ｂ’と、テレビ受像機１０Ａ’とＰＣ１０Ｂ’を通信可能に接続するＬＡＮ１０Ｃと、を備えている。
【００４７】
この情報受信システム１０において、テレビ受像機１０Ａ’は、放送を受信する放送受信部１１と、放送受信部１１で受信した放送に含まれるコンテンツ情報を受信コンテンツ情報として記憶する受信コンテンツ情報ＤＢ１３と、放送受信部１１で受信した放送に含まれるコンテンツ情報を受信コンテンツ情報として抽出し、受信コンテンツ情報ＤＢ１３に記録するコンテンツ情報処理部１２’’と、受信コンテンツ情報ＤＢ１３に記憶されている受信コンテンツ情報から任意に選択されたコンテンツ情報を選択コンテンツ情報として記憶する選択コンテンツ情報ＤＢ１４と、受信コンテンツ情報ＤＢ１３に記憶されている受信コンテンツ情報または選択コンテンツ情報ＤＢ１４に記憶されている選択コンテンツ情報から任意のコンテンツ情報を選択する入力部１７と、入力部１７で選択された任意のコンテンツ情報を送信し、当該任意のコンテンツ情報に対応するネットワークアドレスを受信し、該ネットワークアドレスにアクセスして提供コンテンツを受信すると共に、ＬＡＮ１０Ｃを介してＰＣ１０Ｂ’と通信を行う通信制御部１９’’と、通信制御部１９’’で受信した提供コンテンツを表示する表示部１６と、表示部１６および入力部１７を制御する入出力制御部１５と、を備える。
【００４８】
ここで、コンテンツ情報処理部１２’’は、受信コンテンツ情報ＤＢ１３に記憶されている受信コンテンツ情報を表示部１６に表示すると共に、入力部１７からの選択信号に応じて、選択された受信コンテンツ情報を選択コンテンツ情報として抽出し、選択コンテンツ情報ＤＢ１４に記録する。さらに、ＰＣ１０Ｂ’で選択された選択コンテンツ情報を通信制御部１９’’を介して受信し、選択コンテンツ情報ＤＢ１４に記録する。
【００４９】
ここで、入力部１７は、リモートコントローラにすることができ、もしくは、入力部１７および表示部１６を、リモートコントローラにすることができる。
【００５０】
また、ＰＣ１０Ｂ’は、ＬＡＮ１０Ｃに接続する通信ＩＦ１９’と、テレビ受像機１０Ａ’から送信されてきた受信コンテンツ情報や選択コンテンツ情報、コンテンツプロバイダ５０からの提供コンテンツを表示する表示部１６’と、テレビ受像機１０Ａ’の受信コンテンツ情報ＤＢ１３に記憶されている受信コンテンツ情報またはテレビ受像機１０Ａ’の選択コンテンツ情報ＤＢ１４に記憶されている選択コンテンツ情報から任意のコンテンツ情報を選択する入力部（キーボードやマウス、リモコン装置など）１７’と、テレビ受像機１０Ａ’の受信コンテンツ情報ＤＢ１３に記憶されている受信コンテンツ情報を表示部１６’に表示すると共に、入力部１７’からの選択信号に応じて、選択された受信コンテンツ情報を選択コンテンツ情報として抽出してテレビ受像機１０Ａ’に送信するコンテンツ情報処理部１２と、入力部１７’で選択された任意のコンテンツ情報をアクセスセンタ４０に送信すると共に、当該任意のコンテンツ情報に対応するネットワークアドレスをアクセスセンタ４０から受信し、該ネットワークアドレスにアクセスしてコンテンツプロバイダ５０から提供コンテンツを受信するインターネット処理部１８と、表示部１６’および入力部１７’を制御する入出力制御部１５’と、を備えている。
【００５１】
図９のシステムにおいては、図２に示したステップ２０４〜２１２の処理は、テレビ受像機１０Ａ’およびＰＣ１０Ｂ’で行うことができる。
【００５２】
上述の図８および図９のシステムにおいては、ＬＡＮ１０Ｃを備えず、テレビ受像機１０ＡおよびＰＣ１０Ｂの入力部１７，１７’をリモコン装置にして共通の入力インタフェースとすることもできる。
【００５３】
以上、本発明の情報受信システム、情報処理システムおよび情報処理方法について説明したが、上述に記載の情報受信システムの機能を、コンピュータに実現させるためのプログラムとすることができ、上述に記載の情報処理システムの機能を、コンピュータに実現させるためのプログラムとすることができ、さらに、上述に記載の情報処理方法の処理を、コンピュータに実現させるためのプログラムにすることもできる。
【００５４】
上述のように、本発明の情報受信システム、情報処理システム、情報処理方法およびプログラムによれば、テレビ放送の任意の場面やＣＭに関連する情報をＷｅｂページのコンテンツとして準備し、提供するコンテンツプロバイダのＷｅｂページのネットワークアドレス（ＵＲＬ）と関連付けたコンテンツ情報をテレビ放送に含ませ、任意のコンテンツ情報を選択することによってコンテンツプロバイダのＷｅｂページにアクセスし、所望する情報を十分に得ることができるようになった。
【図面の簡単な説明】
【００５５】
【図１】本発明の情報処理システムの一例を示す図である。
【図２】本発明の情報処理方法の処理を示すフローチャートである。
【図３】本発明の情報処理方法の処理におけるコンテンツ情報の内容を示す図である。
【図４】本発明の情報処理方法の処理におけるコンテンツ情報の内容を示す図である。
【図５】本発明の情報処理方法の処理におけるコンテンツ情報の内容を示す図である。
【図６】本発明の情報処理方法の処理におけるコンテンツ情報の内容を示す図である。
【図７】本発明の情報処理方法の処理におけるコンテンツ情報の内容を示す図である。
【図８】本発明の情報処理システムの一例を示す図である。
【図９】本発明の情報処理システムの一例を示す図である。
【符号の説明】
【００５６】
１０  情報受信システム
１０Ａ，１０Ａ’  テレビ受像機
１０Ｂ，１０Ｂ’  ＰＣ
１０Ｃ  ＬＡＮ
１１  放送受信部
１２，１２’，１２’’  コンテンツ情報処理部
１３  受信コンテンツ情報ＤＢ
１４  選択コンテンツ情報ＤＢ
１５，１５’  入出力制御部
１６，１６’  表示部
１７，１７’  入力部
１８  インターネット処理部
１９，１９’  通信ＩＦ
１９’’  通信制御部
２０，２１  放送局ユーザＡシステム
３０  ケーブル
４０  アクセスセンタ
４１  通信制御部
４２  コンテンツ情報処理部
４３  コンテンツコード変換テーブル（記憶部）
４４  アクセスログＤＢ
５０  コンテンツプロバイダ
６０  インターネット
【図１】
2006285361.tif 000003
【図２】
2006285361.tif 000004
【図３】
2006285361.tif 000005
【図４】
2006285361.tif 000006
【図５】
2006285361.tif 000007
【図６】
2006285361.tif 000008
【図７】
2006285361.tif 000009
【図８】
2006285361.tif 000010
【図９】
2006285361.tif 000011